(57)【要約】【課題】複数の紙幣カセットを保管するカセット保管庫から必要な紙幣カセットを選別するときにかかる時間を短縮する手段を提供する。【解決手段】紙幣カセット１と、カセット保管庫２０とを設け、カセット保管庫２０は係員から受付けた運搬車コードをもとに紙幣補充管理サーバ４０から運搬車コードに対応する準備カセット情報を全て受け取り、それらの準備カセット情報を紙幣カセット１に送信し、紙幣カセット１は記憶しているカセット番号と補充情報の組み合わせに一致する準備カセット情報を受信している場合に、カセット表示部１０を視覚的に識別可能な表示に制御することを特徴とする。【選択図】図９
2008033423.tif 000002
【特許請求の範囲】
【請求項１】
カセット表示部と、補充先の店舗情報を記憶する店舗記憶手段を有し、係員によって店舗に配送される貨幣カセットと、
係員から配送用の運搬車情報の入力を受付ける入力部と、上位装置と通信するための第１の通信部と、前記貨幣カセットと通信するための第２の通信部とを有し、複数の貨幣カセットを保管する保管庫を設け、
該保管庫は、前記入力部で受付けた運搬車情報をもとに前記第１の通信部によって上位装置から運搬車情報に対応する店舗情報を受け取り、それらの店舗情報を貨幣カセットに送信し、
前記貨幣カセットは、前記店舗記憶手段に記憶している店舗情報が前記保管庫から受信した店舗情報の中に含まれている場合に、前記カセット表示部を視覚的に識別可能な表示に制御することを特徴とする貨幣補充システム。
【請求項２】
カセット表示部と、補充先の店舗情報を記憶する店舗記憶手段とを有し、係員によって店舗に配送される貨幣カセットと、
該貨幣カセットの配送用の運搬車に設けられ、現在位置や配送先となる店舗位置の地図を表示する端末表示部と、配送先の店舗の店舗情報を記憶する配送店舗記憶手段と、前記貨幣カセットと通信するための通信部とを有する運搬端末とを備え、
該運搬端末は、前記端末表示部に表示される現在位置と配送先となる店舗とが一定距離に近づいたときに、前記配送店舗記憶手段からその店舗の店舗情報を読み出し、該店舗情報を貨幣カセットに送信し、
前記貨幣カセットは、前記運搬端末から受信した店舗情報と前記店舗記憶手段に記憶している店舗情報とを比較して一致している場合に、前記カセット表示部を視覚的に識別可能な表示に制御することを特徴とする貨幣補充システム。
【請求項３】
請求項１または請求項２において、
前記貨幣カセットは、係員の体を介して自動取引装置の人体通信部と通信を行う人体通信部を有し、
係員が前記自動取引装置の人体通信部に触れた状態で前記貨幣カセットの人体通信部に触れると、前記自動取引装置に記憶されている貨幣カセットの識別子が前記貨幣カセットに送信され、前記貨幣カセットは受信した識別子が自身の識別子である場合に、前記カセット表示部を視覚的に識別可能な表示に制御することを特徴とする貨幣補充システム。
【請求項４】
請求項３において、
前記貨幣カセットに連結部を設け、複数の貨幣カセットに対して同時に通信可能な状態に連結させることを特徴とする貨幣補充システム。
【発明の詳細な説明】
【技術分野】
【０００１】
本発明は、紙幣等の貨幣を取扱う自動取引装置へ貨幣を補充するための貨幣カセットを用意し、補充が必要な自動取引装置が設置されている店舗へ搬送する貨幣補充システムに関する。
【背景技術】
【０００２】
従来の貨幣補充システムは、例えば自動取引装置に紙幣の補充が必要となったときに、監視装置から紙幣補充管理サーバへ紙幣補充の通知を送信し、この通知を受信した紙幣補充管理サーバが現金処理装置によって紙幣カセットに紙幣を格納させて補充する紙幣の準備を行い、補充する紙幣が準備されると運搬車によって紙幣カセットが自動取引装置の設置されている店舗まで搬送され、その自動取引装置に紙幣カセットが装着されることで紙幣の補充を行っている（例えば、特許文献１参照。）。
【特許文献１】特開２００６−８５３４６号公報（段落００１８、第２図）  一般に運搬車は定められた時間に各店舗を巡回するようになっているため、紙幣カセットは補充用の紙幣の準備が出来ていてもすぐには搬送されず、先ず一ヵ所に集められたまま保管される。そして運搬車の巡回の時間となったときに係員によって運搬車の巡回ルートに沿った店舗に搬送される紙幣カセットが、運搬車に搭載され配送されている。
【発明の開示】
【発明が解決しようとする課題】
【０００３】
しかしながら、上述した従来の技術においては、係員が紙幣カセット等の貨幣カセットを運搬車に搭載する際、複数の貨幣カセットの中から自分が担当する運搬車に搭載すべきものを選別しなくてはならなく、貨幣カセットの数が多い場合にはその選別に時間が掛かってしまい、作業効率が悪くなってしまうという問題がある。
本発明は、上記の問題点を解決するための手段を提供することを目的とする。
【課題を解決するための手段】
【０００４】
本発明は、上記課題を解決するために、カセット表示部と、補充先の店舗情報を記憶する店舗記憶手段を有し、係員によって店舗に配送される貨幣カセットと、係員から配送用の運搬車情報の入力を受付ける入力部と、上位装置と通信するための第１の通信部と、前記貨幣カセットと通信するための第２の通信部とを有し、複数の貨幣カセットを保管する保管庫を設け、該保管庫は、前記入力部で受付けた運搬車情報をもとに前記第１の通信部によって上位装置から運搬車情報に対応する店舗情報を受け取り、それらの店舗情報を貨幣カセットに送信し、前記貨幣カセットは、前記店舗記憶手段に記憶している店舗情報が前記保管庫から受信した店舗情報の中に含まれている場合に、前記カセット表示部を視覚的に識別可能な表示に制御することを特徴とする。
【発明の効果】
【０００５】
これにより、本発明は、係員がカセット保管庫に保管されている複数の貨幣カセットから自分が担当する運搬車に搭載すべき貨幣カセットを選別する時間を短縮することができ、作業効率を向上させることができるという効果が得られる。
【発明を実施するための最良の形態】
【０００６】
以下に、図面を参照して本発明による貨幣補充システムの実施例について説明する。
【実施例１】
【０００７】
図１は実施例１の紙幣カセットを示す説明図、図２は紙幣カセットを示すブロック図である。
図１、図２において、１は貨幣カセットとしての紙幣カセットであり、図１に示す状態は扉を開けて内部に格納している紙幣が見える状態を示している。
なお、この紙幣カセット１は回収カセットとしての機能も有しているが、本発明ではその説明を省略する。
【０００８】
２は紙幣格納部であり、銀行等の金融機関の営業店やコンビニエンスストア等の店舗に設置される図示しない自動取引装置に補充する紙幣を格納する。
図２において、５は補充制御部であり、補充記憶部６に格納される制御プログラムに従って紙幣カセット１の各部の動作を制御する。
補充記憶部６は、補充制御部５が実行する制御のための制御プログラムを格納している他、補充制御部５による処理結果等を記憶する。
【０００９】
７は無線ＩＣタグ部であり、無線通信部８とアンテナ９とによって構成され、無線によって現金処理装置３０との間で通信を行う機能を有する。
なお、有線接続であっても良いことはいうまでもない。
１０はカセット表示部であり、ＬＥＤ（Ｌｉｇｈｔ  Ｅｍｉｔｔｉｎｇ  Ｄｉｏｄｅ）等の発光素子によって構成され、表示駆動部１１を介して補充制御部５から受け取った指示に従って発光素子を点灯させる機能を有する。この発光素子が照光すると視覚的に係員は紙幣カセット１を識別できる。
【００１０】
１２はインターフェース部であり、紙幣カセット１が現金処理装置３０や図示しない自動取引装置に装着された時に現金処理装置３０や自動取引装置内のコネクタと結合するインターフェース用コネクタ１３を備え、装着された機器との間でデータの受け渡しを行う機能を有する。
１４はデータ記憶部であり、紙幣カセット１を特定するカセット番号や紙幣格納部２内に格納されている紙幣格納枚数を記憶する他、紙幣カセット１がどの自動取引装置に装着するか既に決定している場合は、その自動取引装置が設置された店舗の店舗情報としての店舗コードと自動取引装置を識別する装置識別データを記憶する。
【００１１】
１５はバッテリ部であり、紙幣カセット１の各部へ電源を供給する機能を有する。
図３はカセット保管庫を示す構成図、図４はカセット保管庫を示すブロック図である。
図３、図４において、２０はカセット保管庫であり、補充用の紙幣を管理する資金配備センタに設置され、紙幣補充用に予め準備されて金融機関の店舗の自動取引装置に装着される紙幣カセット１をまとめて保管するための保管庫であり、図３に示すように内部を開いてそこに紙幣カセット１を保管する。
【００１２】
２１は保管庫制御部であり、保管庫記憶部２２に格納される保管庫用制御プログラムに従ってカセット保管庫２０の各部の動作を制御する。
２３は保管庫表示操作部であり、液晶ディスプレイ等の表示部と、その表示部上に配置したタッチパネル等の入力部によって構成され、係員への操作を誘導する画面や入力キーを表示し、その入力キーをタッチパネル上から押下することで、入力キーに定義された情報を入力できるようになっている。
【００１３】
２４は保管庫カード読出部であり、カード挿入口に挿入される係員が所有する専用の係員カードに格納されている係員暗証番号等を読み出す機能を有する。
２５は保管庫扉であり、紙幣カセット１を取り出すときに係員が開く扉であって、電子的に施錠、開錠される自動ロック機構が設けられている。
保管庫扉２５は、扉の開閉を監視するための図示しない例えば光学式のセンサを備えている。
【００１４】
２６は保管庫通信部であり、無線通信によって紙幣カセット１との間で通信処理を実行する機能を有する他、ＬＡＮを介して後述する紙幣補充管理サーバ４０と通信可能に接続する。
図５は実施例１の現金処理装置を示すブロック図である。
３０は現金処理装置であり、資金配備センタに設置されて紙幣カセット１に紙幣を補充する際に用いられている。
【００１５】
３１は処理制御部であり、処理記憶部３２に格納される処理装置制御プログラムに従って現金処理装置３０の各部の動作を制御する他、処理通信部３３によってＬＡＮ３４を介して資金配備センタ内に設置されている紙幣補充管理サーバ４０と通信可能に接続する。
３５は処理表示操作部であり、液晶ディスプレイ等の表示部と、その表示部上に配置したタッチパネル等の入力部によって構成され、係員への操作を誘導する画面や入力キーを表示し、その入力キーをタッチパネル上から押下することで、入力キーに定義された情報を入力できるようになっている。
【００１６】
３６は処理カード取扱部であり、図示しない処理装置カード挿入部に挿入された係員カードから係員暗証番号等を読み出す機能を有する。
３７は処理紙幣入出金部であり、係員が投入した紙幣を受け入れ、これを鑑別、計数して収納し、係員に払出す紙幣を排出する機能を有する。
また処理紙幣入出金部３７には、排出する紙幣を束の状態にし、その束を施封するための小束施封部を設けている。
【００１７】
３８は紙幣補充部であり、紙幣カセット１を装着するためのカセット装着部を備え、現金処理装置３０内に格納している紙幣を装着された紙幣カセット１へ搬送して補充する機能を有する。
４０は紙幣補充管理サーバ（上位装置）であり、資金配備センタに設置され、その時に紙幣の補充が必要な自動取引装置の装置識別データと自動取引装置が設置されている店舗の店舗コード、金種別の紙幣補充枚数等からなる補充情報を記憶する他、通信回線によって紙幣の補充を必要とする自動取引装置を管理している図示しないサーバと通信可能に接続し、該サーバから紙幣の補充を必要とする自動取引装置に関する装置識別データ、店舗コード、紙幣補充枚数等を受け取ることで、新たな補充情報を記憶していく。
【００１８】
また紙幣補充管理サーバ４０は、自動取引装置への補充用として既に紙幣を格納している紙幣カセット１についての補充情報とそれぞれのカセット番号とを組み合わせた準備カセット情報を記憶するための保管カセット記憶エリアを有する他、定められた配送ルートで各店舗を巡回する運搬車の運搬車情報としての運搬車コードと、その配送ルート上にある店舗の店舗情報としての店舗コードとを関連づけて記憶している。
【００１９】
上述した構成の作用について、図６に示す実施例１の貨幣補充システムにおける紙幣補充処理の動作を示すフローチャートを用い、Ｓで示すステップに従って説明する。
Ｓ１、現金処理装置３０の処理制御部３１は、処理表示操作部３５に待機状態である旨の画面を配した待機画面を表示して待機する。
Ｓ２、係員が係員カードを処理装置カード挿入部に挿入すると、処理制御部３１は処理カード取扱部３６によって係員カードから係員暗証番号を読み出し、処理記憶部３２にその係員暗証番号を記憶し、処理表示操作部３５に係員暗証番号の入力を促す画面を表示する。
【００２０】
Ｓ３、処理制御部３１は、係員がテンキーによって係員暗証番号を入力すると、処理記憶部３２から係員暗証番号を読み出し、入力された係員暗証番号と読み出した係員暗証番号とを比較して両係員暗証番号の一致を確認する。
Ｓ４、処理制御部３１は、処理表示操作部３５に紙幣補充処理や紙幣出金処理、紙幣入金処理等の処理選択画面を表示する。
【００２１】
係員は処理選択画面から紙幣補充処理の選択ボタンを押下する。
Ｓ５、処理制御部３１は処理通信部３３によってＬＡＮ３４を介して紙幣補充管理サーバ４０に補充情報依頼を送信する。
紙幣補充管理サーバ４０は、現金処理装置３０から補充情報依頼を受信すると、記憶している補充情報を読み出し、その補充情報を現金処理装置３０に送信する。
【００２２】
図7は実施例１の紙幣補充処理画面の構成例である。
Ｓ６、処理制御部３１は、紙幣補充管理サーバ４０から受信した補充情報をもとにして、処理表示操作部３５に図7に示す自動取引装置が設置されている店舗名と装置番号、補充金額とを表示した一覧と、紙幣補充処理を終了するための「終了」キー、画面内に表示しきれなかった分を表示させるための「次のページ」キーを配した紙幣補充処理画面を表示する。
【００２３】
ここで、装置番号は上記の装置識別データに関連付けられた番号であり、補充金額とは上記補充情報の金種ごとの紙幣補充枚数に基づいて算出した金額である。
Ｓ７、係員が図７に示す紙幣補充処理画面のＮｏ．１に対応する箇所を押下すると、処理制御部３１は押下された箇所の自動取引装置に対応する補充情報を処理記憶部３２に記憶する。
【００２４】
図８はカセット装填案内画面の構成例である。
Ｓ８、処理制御部３１は、処理表示操作部３５に図８に示す「紙幣をカセットに装填します。空のカセットを装着してください。」等の紙幣カセット１の装填を促す文言と、紙幣補充処理を中断するための取消キーを配したカセット装填案内画面を表示する。
Ｓ９、処理制御部３１は、係員がカセット装填案内画面に従って紙幣カセット１を装着すると、処理通信部３３によって紙幣カセット１にカセット情報取得依頼を送信する。
【００２５】
Ｓ１０、紙幣カセット１の補充制御部５は、データ記憶部１４からカセット番号と紙幣格納枚数を読み出し、そのカセット番号と紙幣格納枚数とをインターフェース部１２によってインターフェース用コネクタ１３を介して現金処理装置３０に送信する。
Ｓ１１、処理制御部３１は、紙幣カセット１から受信した紙幣格納枚数をもとに紙幣カセット１に紙幣が格納されていないことを判断し、受信したカセット番号を処理記憶部３２に記憶する。
【００２６】
Ｓ１２、処理制御部３１は、処理記憶部３２から補充情報の紙幣補充枚数を読み出しておき、その紙幣補充枚数に従って紙幣補充部３８により、紙幣を繰出して紙幣カセット１に紙幣を補充する。
Ｓ１３、処理制御部３１は、処理記憶部３２から補充情報の装置識別データを読み出し、その装置識別データと上記ステップＳ１２で読み出した紙幣補充枚数とを処理通信部３３によって紙幣カセット１に送信する。
【００２７】
Ｓ１４、補充制御部５は、現金処理装置３０から受信した紙幣補充枚数を紙幣格納枚数としてデータ記憶部１４に記憶し、また受信した装置識別データもデータ記憶部１４に記憶する。そしてインターフェース部１２によってインターフェース用コネクタ１３を介して受信データ記憶完了通知を現金処理装置３０に送信する。
Ｓ１５、処理制御部３１は、紙幣カセット１から受信データ記憶完了通知を受信すると、処理表示操作部３５に紙幣カセット１の取り外しを促す画面を表示し、係員によって紙幣カセット１が取り外されると再度紙幣補充処理画面を表示し、係員による「終了」キーの押下を認識すると、挿入された係員カードを係員に返却して処理表示操作部３５に待機画面を表示し、紙幣補充処理を終了する。
【００２８】
また、処理制御部３１は処理記憶部３２に記憶している補充情報とカセット番号とを関連づけた準備カセット情報を紙幣補充管理サーバ４０に送信し、紙幣補充管理サーバ４０は受信した準備カセット情報を記憶しておく。
そして、係員は取り外した紙幣カセット１をカセット保管庫２０に入れて保管する。なお係員はカセット保管庫２０を開くためにカード挿入口に係員カードを挿入して保管庫表示操作部２３のタッチパネルで係員暗証番号を入力する。
【００２９】
カセット保管庫２０の保管庫制御部２１は、カセットカード読出部２４によって挿入された係員カードから係員暗証番号を読み出し、その係員暗証番号と係員がタッチパネルで入力した係員暗証番号とを比較して両暗証番号の一致を確認し、保管庫扉２５の自動ロック機構を開錠する。
そして、係員が保管庫扉２５を開いて紙幣カセット１を入れて保管庫扉２５を閉じると、保管庫制御部２１は図示しないセンサによって保管庫扉２５が閉じられたことを認識し、自動ロック機構を施錠する。
【００３０】
次に係員が自動取引装置へ紙幣を補充するために配送用の運搬車に搭載する紙幣カセット１の選別について図９に示す紙幣カセット選別の動作を示すフローチャートを用い、ＳＡで示すステップに従って説明する。
ＳＡ１、カセット保管庫２０の保管庫制御部２１は、保管庫表示操作部２３に待機中である旨の待機画面を表示して待機しており、係員が係員カードをカード挿入口に挿入して保管庫表示操作部２３のタッチパネルで暗証番号を入力すると、保管庫カード読出部２４によって係員カードから係員暗証番号を読出し、その係員暗証番号と入力された係員暗証番号とを比較して両係員暗証番号の一致を確認する。
【００３１】
ＳＡ２、保管庫制御部２１は、保管庫扉２５の自動ロック機構を開錠して保管庫表示操作部２３に係員が担当する運搬車コードの選択入力を促す画面と入力のための選択キーを表示する。
ＳＡ３、保管庫制御部２１は、係員によって選択キーが押下されると、その選択キーに対応する運搬車コードを保管庫通信部２６によって紙幣補充管理サーバ４０に送信する。
【００３２】
ＳＡ４、紙幣補充管理サーバ４０は、受信した運搬車コードをもとに格納している店舗コードを検索し、該当する店舗コードを全て読み出す。そしてこれらの店舗コードをもとに保管カセット記憶エリアを検索し、店舗コードに関連づけられている準備カセット情報を全て読み出す。
ＳＡ５、紙幣補充管理サーバ４０は、読み出した全ての準備カセット情報をカセット保管庫２０に送信する。
【００３３】
図１０は配送対象カセット表示画面を示す表示例である。
ＳＡ６、保管庫制御部２１は、紙幣補充管理サーバ４０から受信した準備カセット情報を保管庫記憶部２２に記憶しておき、その準備カセット情報に含まれる補充情報にもとづいて保管庫表示操作部２３に図１０に示すように係員の運搬車に搭載すべき紙幣カセット１に関連する補充情報の一覧を配した配送対象カセット表示画面を表示する。
【００３４】
ＳＡ７、保管庫制御部２１は、保管庫記憶部２２から全ての準備カセット情報を読み出し、保管庫通信部２６によってその準備カセット情報を保管している紙幣カセット１に送信する。
ＳＡ８、各紙幣カセット１の補充制御部５は、無線ＩＣタグ部７によってカセット保管庫２０から準備カセット情報を受信すると、データ記憶部１４に記憶している補充情報とカセット番号とを読み出し、その補充情報とカセット番号の組み合わせと準備カセット情報を比較して一致するものがあるか否かを判断し、一致する準備カセット情報を受信している場合に限り表示駆動部１１を介してカセット表示部１０を点灯させる。
【００３５】
係員は、開錠された保管庫扉２５を開いて保管されている紙幣カセット１の中からカセット表示部１０が点灯しているものを全て取り出してから保管庫扉２５を閉じる。
ＳＡ９、保管庫制御部２１は、図示しないセンサによって保管庫扉２５が閉じられたことを認識すると、自動ロック機構によって保管庫扉２５を施錠し、保管庫表示操作部２３に待機画面を表示して終了する。
【００３６】
以上説明したように本実施例では、カセット保管庫の保管庫表示操作部に入力された運搬車コードをもとに紙幣補充管理サーバから受信した店舗コードを含む準備カセット情報を紙幣カセットに送信し、紙幣カセットは受信した準備カセット情報が、データ記憶部に記憶している補充情報とカセット番号との組み合わせに一致している場合に限り、カセット表示部を点灯させるので、係員がカセット保管庫に保管されている複数の紙幣カセットから自分が担当する運搬車に搭載すべき紙幣カセットを選別する時間を短縮することができ、作業効率を向上させることができる。
【実施例２】
【００３７】
図１１は実施例２のカセット配送システムを示す構成図である。
なお、上記実施例１と同様の部分は、同一の符号を付してその説明を省略する。
本実施例は、係員が紙幣カセットを運搬車に搭載し、金融機関の各店舗へ紙幣カセットを配送する場合について説明する。
本実施例の紙幣補充管理サーバ４０は、通信回線４１を介して無線通信ための基地局４３と通信可能に接続しているものとする。
【００３８】
また、紙幣補充管理サーバ４０は運搬車に搭載される紙幣カセット１を各店舗に配送する配送ルートデータや店舗の位置を示す店舗位置データを上記実施例１の店舗コードに関連付けて格納しているものとする。
図１１において、５０は運搬端末であり、係員が配送用に使用し、搭載される紙幣カセット１を各店舗へ配送するための運搬車に備えられている端末である。
【００３９】
５１は端末制御部であり、端末記憶部５２に格納される運搬車通信制御プログラムに従って各部の動作を制御する。
端末記憶部５２は、運搬車通信制御プログラムを格納する他、運搬車コード、少なくとも運搬車が紙幣カセット１を配送する各店舗を含む範囲を示している地図データを格納する。
【００４０】
５３はサーバ通信用制御部であり、端末制御部５１と端末記憶部５２に格納される運搬車通信プログラムとによって実現され、アンテナ５４、基地局４３を介して紙幣補充管理サーバ４０との間でデータ通信を行う。このときの通信方法は例えばＰＨＳ（Ｐｅｒｓｏｎａｌ  Ｈａｎｄｙｐｈｏｎｅ  Ｓｙｓｔｅｍ）を使用するものとする。
５５は無線通信部であり、紙幣カセット１と無線によるデータ通信を行うための機能を有する。
【００４１】
５６はナビゲーション部であり、端末制御部５１と端末記憶部５２に格納される運搬車通信プログラムとによって実現され、ＧＰＳ（Ｇｌｏｂａｌ  Ｐｏｓｉｔｉｏｎｉｎｇ  Ｓｙｓｔｅｍ）アンテナ５８ａを介してＧＰＳ受信部５８で受信したＧＰＳ衛星５９からデータをもとに現在位置となる緯度および経度を求める機能を有し、また端末記憶部５２が格納する上記地図データをもとに現在位置から配送先までのルートを算出する機能を有する。
【００４２】
５７は端末表示部であり、ナビゲーション部５６で算出された運搬車の現在位置から配送先までのルート等を表示するための表示画面と、表示画面上に配置したタッチパネルによって構成され、表示画面に表示される入力キーに定義された情報をタッチパネルで入力するようになっている。
上記の配送ルートデータおよび店舗位置データは、端末記憶部５２の地図データと組み合わせることで、端末表示部５７に運搬車が向かう店舗とその経路を示す地図を表示させるためのデータである。
【００４３】
なお、本実施例のカセット配送システムは運搬車のエンジンを起動させることにより作動を開始するものとする。
上述した構成の作用について、図１２に示すカセット配送システムの動作を示すフローチャートを用い、ＳＢで示すステップに従って説明する。
ＳＢ１、係員が紙幣カセット１を運搬車に搭載し、運搬車のエンジンを起動させると、サーバ通信用制御部５３はアンテナ５４、基地局４３を介して紙幣補充管理サーバ４０に運搬車コードを送信する。
【００４４】
ＳＢ２、紙幣補充管理サーバ４０は、運搬端末５０から運搬車コードを受信すると、その運搬車コードをもとに格納している店舗コードを検索し、該当する店舗コードを読み出す。そしてその店舗コードをもとに準備カセット情報と配送ルートデータ、店舗位置データとを検索し、該当する準備カセット情報と配送ルートデータ、店舗位置データとを読み出して通信回線４１、基地局４３を介して運搬端末５０に送信する。
【００４５】
ＳＢ３、端末制御部５１は、紙幣補充管理サーバ４０から受信した準備カセット情報と配送ルートデータ、店舗位置データを端末記憶部５２に記憶しておく。
ＳＢ４、端末制御部５１が端末記憶部５２に記憶している配送ルートデータと店舗位置データ、地図データとを読み出すと、ナビゲーション部５６はＧＰＳアンテナ５８ａを介してＧＰＳ受信部５８で受信したＧＰＳ衛星５９からのデータをもとに運搬車の現在位置を求めると共に、読み出した地図データと配送ルートデータ、店舗位置データとを用いて運搬車が現在位置から各店舗を移動するためのルートを算出する。
【００４６】
図１３は実施例２のナビゲーション初期画面を示す表示例である。
ＳＢ５、端末制御部５１は、端末記憶部５２に記憶した準備カセット情報から店舗コードのみを読み出し、その店舗コードと上記で算出したルートを用いて端末表示部５７に図１３に示す現在位置を表示した地図や配送先となる店舗リスト、紙幣カセット１の搭載を確認するためのカセット搭載完了キーを配したナビゲーション初期画面を表示する。
【００４７】
ＳＢ６、端末制御部５１は、係員がカセット搭載完了キーを押下すると、無線通信部５５によって搭載されている全ての紙幣カセット１に対してカセット番号送信依頼を送信する。
ＳＢ７、各紙幣カセット１の補充制御部５は、運搬端末５０からのカセット番号送信依頼を受信すると、データ記憶部１４に記憶しているカセット番号を読み出してそのカセット番号を無線ＩＣタグ部７によって運搬端末５０へ送信する。
【００４８】
ＳＢ８、端末制御部５１は、端末記憶部５２に記憶している準備カセット情報の内のカセット番号を読み出しておき、全ての紙幣保管用カセット１から受信したカセット番号が読み出したカセット番号に含まれているか、つまり搭載されている紙幣カセットが配送先の自動取引装置に対応するものであるか否かを確認していく。
ここで、図１４は警告画面を示す表示例である。
【００４９】
端末制御部５１は、受信したカセット番号の中に読み出したカセット番号に含まれないものが有ると判断した場合、端末表示部５７に図１４に示す「警告、誤ったカセットが搭載されています。カセットを確認して下さい。」等の警告の文言やカセット搭載完了キー等を配した警告画面を表示する。
また、端末制御部５１は読み出したカセット番号に含まれなかったカセット番号（誤カセット番号という。）を端末記憶部５２に記憶していき、誤カセット番号を全て記憶した後、端末記憶部５２から誤カセット番号を読み出してその誤カセット番号を付した警告指示通知を無線通信部５５によって全ての紙幣カセット１に送信する。
【００５０】
紙幣カセット１は、運搬端末５０から警告指示通知を受信すると、データ記憶部１４に記憶しているカセット番号と、警告指示通知の誤カセット番号とを比較し、一致しているときにはカセット表示部１０を点灯させる。
そして、係員は上記の端末表示部５７の警告画面に従って紙幣カセット１を取り出す際にカセット表示部１０の点灯を目安に紙幣カセット１を取り出し、その紙幣カセット１をカセット保管庫２０に戻し、カセット保管庫２０に運搬車に搭載する紙幣カセット１が有るか否かを確認し、有る場合にはその正しい紙幣カセット１を取り出して運搬車に搭載した後、再度カセット搭載完了キーを押下する。
【００５１】
端末制御部５１は、カセット搭載完了キーの押下を認識したら上記ステップＳＢ７に戻ってその後のステップの処理を継続する
ＳＢ９、端末制御部５１は、紙幣カセット１から受信したカセット番号が全て端末記憶部５２から読み出したカセット番号の中に含まれているものであると判断した場合、端末表示部５７に紙幣カセット１の確認が完了した旨の画面を配した確認完了画面を表示する。
【００５２】
ＳＢ１０、端末制御部５１は、端末表示部５７に１番目の配送先のルートを示す画面を配したルート案内画面を表示する。
ここで、係員が運搬車を移動させると、ナビゲーション部５６はＧＰＳアンテナ５８ａを介してＧＰＳ受信部５８でＧＰＳ衛星５９からデータをもとに運搬車の現在位置を逐一求める。そして端末制御部５１は求められた現在位置に応じて端末表示部５７に表示しているルート案内画面を更新していく。
【００５３】
ＳＢ１１、端末制御部５１は、運搬車が目的地に一定の距離に近づいたときに、目的地である店舗位置データをもとに端末記憶部５２に記憶している準備カセット情報を読み出し、その準備カセット情報の店舗コードを抜き出して無線通信部５５によって搭載されている全ての紙幣カセット１に対して抜き出した店舗コードを付した点灯指示を送信する。
ＳＢ１２、各紙幣カセット１の補充制御部５は、運搬端末５０から点灯指示を受信すると、データ記憶部１４に記憶している店舗コードを読み出し、受信した点灯指示の店舗コードと比較して両店舗コードが一致している場合だけカセット表示部１０を点灯させる。
【００５４】
店舗に到着して運搬車を停めた係員は、運搬車からカセット表示部１０が点灯している紙幣カセット１を降ろし、その紙幣カセット１を配送先である店舗における紙幣の補充対象となる自動取引装置に装着して紙幣補充作業を行う。
そして、係員は担当する配送先への巡回が完了するまで、上記のステップＳＢ１０からステップＳＢ１２と同様にして紙幣補充作業を行う。
【００５５】
以上説明したように本実施例では、係員が運搬車で紙幣カセットを搬送する際に、運搬端末が配送の店舗に到着したときに、その配送先の店舗コードを無線通信部で紙幣カセットに送信し、そして紙幣カセットはデータ記憶部に記憶している店舗コードと受信した店舗コードとを比較し、一致していればカセット表示部を点灯させるようにしたので、運搬車から紙幣カセットを降ろす係員にとっては一目でどの紙幣カセットを降ろせばよいか選別することができ、作業効率を向上させることができる。
【００５６】
なお、上記実施例２においては、運搬車は予め決められた配送ルートに従い、紙幣カセットを配送する場合を例に説明したが、例えば緊急に紙幣の補充が必要な自動取引装置が発生し、配送順番を入れ替えるような場合には、配送ルート変更の情報を紙幣補充管理サーバから運搬端末へ送信し、端末表示部に変更された配送ルートを表示するようにすればよい。
【実施例３】
【００５７】
本実施例は、係員が配送先に到着し、運搬車から降ろした紙幣カセットの中から紙幣を補充する自動取引装置に対応する紙幣カセットを選別して装着し、紙幣の補充を行う作業について説明する。
本実施例の自動取引装置は、一般的な人体通信によって紙幣カセットと通信を行うための人体通信用電極が具備され、また紙幣カセット側にも同様に人体通信用電極が具備されている。
【００５８】
図１５は実施例３の紙幣カセットを示す説明図であって、（ａ）は取っ手に設けたカセット通信用電極、（ｂ）はブロック図である。図１６は実施例３の自動取引装置を示すブロック図である。
上記各実施例と同様の箇所は、同一の符号を付して説明を省略する。
図１５において、６０はカセット人体通信部であり、図１５（ａ）に示す紙幣カセット１の係員が持ち運ぶ際の取っ手に設置されているカセット通信用電極６１（人体通信用電極）、人体を介して自動取引装置７０との間で通信処理を行う機能を有する。
【００５９】
図１６において、７０は金融機関の店舗に設置されて顧客との間で取引を行う自動取引装置であり、背面に紙幣カセット１を装着するための図示しないカセット装着部を備えており、紙幣カセット１を交換するときはそのカセット装着部の扉を開いて交換するようになっている。
７１は装置制御部であり、装置記憶部７２に格納されている装置制御プログラムに従って自動取引装置７０の各部の動作を制御する他、上位インターフェース部７３によって専用回線等を介して図示しないセンタに設置される顧客の口座を管理するホストコンピュータや、上記実施例１の紙幣補充管理サーバ４０との間で通信処理を行う。
【００６０】
装置記憶部７２は、装置制御プログラムを格納する他、その自動取引装置７０の装置識別データ等を格納している。
７４は装置人体通信部であり、自動取引装置７０背面に設けられた装置通信用電極部７５（人体通信用電極）にカセット通信用電極６１を握っている係員が直に触れた際に、係員の体を介して紙幣カセット１との間で通信処理を行う機能を有する。
【００６１】
７６は表示操作部であり、自動取引装置７０正面の接客面に露出させて設けられており、表示面を上に向けたＣＲＴディスプレイまたは液晶ディスプレイ等の表示部と、表示部上に配置したタッチパネル等の入力部により構成され、各種取引における顧客の操作を誘導するメッセージを配した画面やそのための入力キーを表示し、その入力キーをタッチパネル上から指で押下することにより、入力キーに定義された情報を入力できるものとなっており、入力された情報の表示等も行うようになっている。
【００６２】
７７は現金入出金部であり、取引に伴う現金の入出金処理を行うもので、紙幣を取扱う紙幣入出金機と硬貨を取扱う硬貨入出金機により構成され、その紙幣入出金口と硬貨出金口は前記接客面に設けられている。
７８はカードリーダライタ・レシートプリンタ部であり、顧客の磁気カード（取引カード）の磁気データに記録されているカード情報の読取及び書込みを行う機能を有する他、顧客との取引結果を明細票に印刷する機能を有し、そのカード挿入返却口および明細票印刷口は前記接客面に設けられている。
【００６３】
７９は通帳記帳部であり、顧客の通帳に設けられた磁気ストライプに対してデータの読取及び書込みを行う機能を有すると共に取引内容等を顧客の通帳に記帳する機能を有し、その通帳挿入返却口は前記接客面に設けられている。
８０は電源部であり、自動取引装置７０の各部への電源を供給する機能を有する。
８１は係員用表示操作部であり、自動取引装置７０の背面に設けられた表示部と操作部とで構成され、金融機関の業務時間中に係員が紙幣カセット１を装着する等の処理を行う場合に使用するものである。
【００６４】
上述した構成の作用について、図１７に示す実施例３のカセット交換処理の動作を示すフローチャートを用い、ＳＣで示すステップに従って説明する。
店舗には紙幣を補充すべき自動取引装置７０が３台あるものとし、係員は上記実施例２の運搬車から３台の紙幣カセット１を降ろし、店舗内の自動取引装置７０の背面側まで運んできているものとする。
【００６５】
ここで、３台の自動取引装置７０を区別するために符号ａ、ｂ、ｃを付して区別するものとし、同様に紙幣カセット１についても符号ａ、ｂ、ｃを付してそれぞれを区別するものとする。
ＳＣ１、自動取引装置７０ａの装置制御部７１ａは、係員が係員用表示操作部８１ａによって係員モードに切り替えるための操作を行うと、係員用表示操作部８１ａにカセット交換作業キー等の各種の係員が行う作業のための入力キーを表示した作業選択画面を表示する。
【００６６】
ＳＣ２、装置制御部７１ａは、係員が作業選択画面からカセット交換作業キーを押下すると、装置記憶部７２ａに格納している装置識別データを読み出し、その装置識別データを上位インターフェース部７３ａによって紙幣補充管理サーバ４０に送信する。
ＳＣ３、紙幣補充管理サーバ４０は、自動取引装置７０から装置識別データを受信すると、その装置識別データをもとに記憶している準備カセット情報を検索し、該当する準備カセット情報からカセット番号と紙幣補充枚数を抽出し、そのカセット番号と紙幣補充枚数とを自動取引装置７０に送信する。
【００６７】
ＳＣ４、装置制御部７１ａは、紙幣補充管理サーバ４０から受信したカセット番号と紙幣補充枚数とを装置記憶部７２ａに記憶し、係員用表示操作部８１ａに紙幣カセットの取っ手を握った状態で装置通信用電極部に触れるように促す画面を配したカセット確認画面を表示する。
図１８は実施例３の人体通信方法を示す説明図である。
【００６８】
ＳＣ５、係員がカセット確認画面に従って図１８に示すように片方の手で自動取引装置７０ａの装置通信用電極７５ａに触れ、もう片方の手で紙幣カセット１ａの取っ手を握ることでカセット人体通信用電極６１ａに触れると、装置制御部７１ａは装置記憶部７２ａからカセット番号と紙幣補充枚数、装置識別データを読み出し、そのカセット番号と紙幣補充枚数、装置識別データを識別子として装置人体通信部７４で係員の体を介して紙幣カセット１ａに送信する。
【００６９】
ＳＣ６、紙幣カセット１ａの補充制御部５ａは、自動取引装置７０ａからカセット番号と紙幣補充枚数、装置識別データを受信すると、データ記憶部１４ａからカセット番号、紙幣格納枚数、装置識別データを読み出し、読み出したカセット番号と装置識別データを受信したカセット番号と装置識別データと比較すると共に、読み出した紙幣格納枚数と受信した紙幣補充枚数とを比較してそれぞれが一致するか否かを判断し、一致を確認したらカセット表示部１０ａを点灯させる。
【００７０】
そして、係員はカセット表示部１０ａの点灯を確認してから、自動取引装置７０ａの背面の扉を開いてそれまで装着されていた紙幣カセットを取り外し、新たにに紙幣カセット１ａを装着することでカセット交換処理を終了する。
このようにして、自動取引装置７０ａに紙幣カセット１ａを装着した係員は、別の自動取引装置７０ｂの方へ赴き、片方の手で別の紙幣カセット１ｂのカセット人体通信用電極６１に触れ、もう一方の手で装置通信用電極７５ｂに触れて上記と同様にして人体通信で紙幣カセット１ｂの補充制御部５ｂが自動取引装置７０ｂから受信したカセット番号と装置識別データ、紙幣補充枚数と、データ記憶部１４ｂのカセット番号、紙幣格納枚数、装置識別データを比較し、自動取引装置７０ｂに紙幣カセット１ｂが対応するかを確認し、カセット表示部１０ｂの点灯を確認してから紙幣カセット１ｂを自動取引装置７０ｂに装着し、１つ余っている紙幣カセット１ｃを自動取引装置７０ｃに装着することで、他のカセット交換処理を行う。
【００７１】
以上説明したように本実施例では、自動取引装置と紙幣カセットに人体通信用電極を設け、係員が片方の手で自動取引装置の装置通信用電極に触れ、もう片方の手で紙幣カセットのカセット人体通信用電極に触れることで、装置記憶部に記憶されている識別子としてのカセット番号と紙幣補充枚数、装置識別データとを係員の体を介して紙幣カセットに送信され、紙幣カセットは受信したカセット番号と紙幣補充枚数、装置識別データがデータ記憶部に記憶されているカセット番号と紙幣補充枚数、装置識別データと一致している場合にカセット表示部を点灯させるので、１つの店舗で複数の自動取引装置に紙幣の補充が必要であった場合に、係員は店舗内に運んだ複数の紙幣カセットがどの自動取引装置に対応するものであるかを容易に判断することができ、業務効率を向上させることができる。
【００７２】
なお、上記実施例３においては、カセット番号と紙幣補充枚数、装置識別データとを紙幣カセットの確認のための識別子として用いたが、この識別子はこれらの組み合わせに限らず、カセット番号や装置識別データの内のいずれか一つとしてもよく、カセット番号と紙幣補充枚数または、装置識別データと紙幣補充枚数との組み合わせとしてもよい。
【実施例４】
【００７３】
本実施例は、上記実施例３の紙幣カセットに、更に紙幣カセット同士を機構的に連結させて電気的に接続するための連結部を設けるようにする。
図１９は実施例４の紙幣カセットの連結部とカセット人体通信用電極を示す説明図、図２０は紙幣カセット同士を連結させた様子を示す説明図である。
図１９において、８５は連結部であり、紙幣カセット１の片側に設けたフックと他方の側に設けた該フックを引っ掛けるための係止輪とより構成され、この係止輪にフックを引っ掛けることで図２０に示すように紙幣カセット１同士を連結させることができる。
【００７４】
この連結部８５は、導線等によって上記カセット人体通信用電極６１と繋がれており、これによって電気的に接続するようになっている。
上述した構成の作用について、図２１に示す実施例４のカセット交換処理の動作を示すフローチャートを用い、ＳＤで示すステップに従って説明する。
本実施例では、１つの店舗に複数の自動取引装置７０への紙幣カセットの交換が必要な場合に、係員は紙幣カセット１をその連結部８５によって連結させた状態で、台車等に載せてまとめて運ぶようにしている。
【００７５】
ＳＤ１、自動取引装置７０の装置制御部７１は、係員が係員用表示操作部８１によって係員モードに切り替えるための操作を行うと、係員用表示操作部８１にカセット交換作業キー等の各種の係員が行う作業のための入力キーを表示した作業選択画面を表示する。
ＳＤ２、装置制御部７１は、係員が作業選択画面からカセット交換作業キーを押下すると、装置記憶部７２に格納している装置識別データを読み出し、その装置識別データを上位インターフェース部７３によって紙幣補充管理サーバ４０に送信する。
【００７６】
ＳＤ３、紙幣補充管理サーバ４０は、自動取引装置７０から装置識別データを受信すると、その装置識別データをもとに記憶している準備カセット情報を検索し、該当する準備カセット情報からカセット番号と紙幣補充枚数を抽出し、そのカセット番号と紙幣補充枚数とを自動取引装置７０に送信する。
ＳＤ４、装置制御部７１は、紙幣補充管理サーバ４０から受信したカセット番号と紙幣補充枚数とを装置記憶部７２に記憶し、係員用表示操作部８１に紙幣カセットの取っ手を握った状態で装置通信用電極部に触れるように促す画面を配したカセット確認画面を表示する。
【００７７】
図２２は実施例４の人体通信方法を示す説明図である。
ＳＤ５、係員がカセット確認画面に従って図２２に示すように片方の手で連結している紙幣カセット１の１つの取っ手を握ってカセット人体通信用電極６１に触れ、もう片方の手で自動取引装置７０の装置通信用電極７５に触れると、装置制御部７１は装置記憶部７２からカセット番号と紙幣補充枚数、装置識別データを読み出し、そのカセット番号と紙幣補充枚数、装置識別データを装置人体通信部７４によって、係員の体を介して連結している各紙幣カセット１に送信する。
【００７８】
ＳＤ６、連結されている各紙幣カセット１の補充制御部５は、自動取引装置７０からカセット番号と紙幣補充枚数、装置識別データを受信すると、データ記憶部１４からカセット番号、紙幣格納枚数、装置識別データを読み出し、読み出したカセット番号と装置識別データを受信したカセット番号と装置識別データと比較すると共に、読み出した紙幣格納枚数と受信した紙幣補充枚数とを比較してそれぞれが一致するか否かを判断し、一致を確認した補充制御部５だけが、カセット表示部１０を点灯させる。
【００７９】
係員は、紙幣カセット１のカセット表示部１０を確認し、カセット表示部１０が点灯している紙幣カセット１の連結部８５を外し、その紙幣カセット１を自動取引装置７０に装着する。
以降、係員は上記と同様にして別の自動取引装置７０の装置通信用電極７５に触れると共に、カセット人体通信用電極６１に触れることで、カセット表示部１０が点灯した紙幣カセット１をその自動取引装置７０に装着する。
【００８０】
以上説明したように、本実施例では、上記実施例３の効果に加えて、紙幣カセットの連結部で紙幣カセットに対して同時に通信可能な状態に連結したことにより、係員は連結している紙幣カセットの内１つのカセット人体通信用電極に触れた状態で自動取引装置の装置人体通信用電極に触れることで、連結している紙幣カセットの内、その自動取引装置に対応するものはどれかを容易に判別することができ、さらに業務効率を向上させることができる。
【００８１】
なお、上記各実施例においては紙幣の補充について説明したが、硬貨の補充についても適用可能である。
【図面の簡単な説明】
【００８２】
【図１】実施例１の紙幣カセットを示す説明図
【図２】紙幣カセットを示すブロック図
【図３】カセット保管庫を示す構成図
【図４】カセット保管庫を示すブロック図
【図５】実施例１の現金処理装置を示すブロック図
【図６】実施例１の貨幣補充システムにおける紙幣補充処理の動作を示すフローチャート
【図７】実施例１の紙幣補充処理画面の構成例
【図８】カセット装填案内画面の構成例
【図９】紙幣カセット選別の動作を示すフローチャート
【図１０】配送対象カセット表示画面を示す表示例
【図１１】実施例２のカセット配送システムを示す構成図
【図１２】カセット配送システムの動作を示すフローチャート
【図１３】実施例２のナビゲーション初期画面を示す表示例
【図１４】警告画面を示す表示例
【図１５】実施例３の紙幣カセットを示す説明図
【図１６】実施例３の自動取引装置を示すブロック図
【図１７】実施例３のカセット交換処理の動作を示すフローチャート
【図１８】実施例３の人体通信方法を示す説明図
【図１９】実施例４の紙幣カセットの連結部とカセット人体通信用電極を示す説明図
【図２０】紙幣カセット同士を連結させた様子を示す説明図
【図２１】実施例４のカセット交換処理の動作を示すフローチャート
【図２２】実施例４の人体通信方法を示す説明図
【符号の説明】
【００８３】
１    紙幣カセット
２    紙幣格納部
５    補充制御部
６    補充記憶部
７    無線ＩＣタグ部
８    無線通信部
９    アンテナ
１０  カセット表示部
１１  表示駆動部
１２  インターフェース部
１３  インターフェース用コネクタ
１４  データ記憶部
１５  バッテリ部
２０  カセット保管庫
２１  保管庫制御部
２２  保管庫記憶部
２３  保管庫表示操作部
２４  保管庫カード読出部
２５  保管庫扉
２６  保管庫通信部
３０  現金処理装置
３１  処理制御部
３２  処理記憶部
３３  処理通信部
３４  ＬＡＮ
３５  処理表示操作部
３６  処理カード取扱部
３７  処理紙幣入出金部
３８  紙幣補充部
４０  紙幣補充管理サーバ
４３  基地局
５０  運搬端末
５１  端末制御部
５２  端末記憶部
５３  サーバ通信用制御部
５４  アンテナ
５５  無線通信部
５６  ナビゲーション部
５７  端末表示部
５８  ＧＰＳ受信部
５８ａ  ＧＰＳアンテナ
５９  ＧＰＳ衛星
６０  カセット人体通信部
６１  カセット通信用電極
７０  自動取引装置
７１  装置制御部
７２  装置記憶部
７３  上位インターフェース部
７４  装置人体通信部
７５  装置通信用電極部
７６  表示操作部  
７７  現金入出金部
７８  カードリーダライタ・レシートプリンタ部
７９  通帳記帳部
８０  電源部
８１  係員用表示操作部
８５  連結部
【図１】
2008033423.tif 000003
【図２】
2008033423.tif 000004
【図３】
2008033423.tif 000005
【図４】
2008033423.tif 000006
【図５】
2008033423.tif 000007
【図６】
2008033423.tif 000008
【図７】
2008033423.tif 000009
【図８】
2008033423.tif 000010
【図９】
2008033423.tif 000011
【図１０】
2008033423.tif 000012
【図１１】
2008033423.tif 000013
【図１２】
2008033423.tif 000014
【図１３】
2008033423.tif 000015
【図１４】
2008033423.tif 000016
【図１５】
2008033423.tif 000017
【図１６】
2008033423.tif 000018
【図１７】
2008033423.tif 000019
【図１８】
2008033423.tif 000020
【図１９】
2008033423.tif 000021
【図２０】
2008033423.tif 000022
【図２１】
2008033423.tif 000023
【図２２】
2008033423.tif 000024